(57)【特許請求の範囲】
【請求項１】
前面に商品を出し入れするための開口を有していて内部に商品を陳列可能な断熱箱体と、該断熱箱体の上面前端部に前後方向に設けられたステイと、該ステイの上面に固定され、前端部に下方斜め後方に折り曲げられた折曲片を有する天板後と、ショーケースの前上縁角部を覆うように配置され、後端部に前記天板後の折曲片と平行な折曲片を有する天板前とを具え、前記天板後の折曲片と天板前の折曲片とをネジ止めすることにより前記天板前を固定するようにしたことを特徴とする冷凍・冷蔵ショーケース。
【請求項２】
前記天板後の折曲片と天板前の折曲片は、折曲げ部が２箇所設けられていることを特徴とする請求項１記載の冷凍・冷蔵ショーケース。
【発明の詳細な説明】
【０００１】
【発明の属する技術分野】
本発明は、コンビニエンスストア，スーパーマーケット等に設置され、商品を冷凍したり冷蔵したりしながら陳列する冷凍・冷蔵ショーケースに関するものである。
【０００２】
【従来の技術】
図６は、冷凍・冷蔵ショーケースの断面図である。図６において、１はウレタンの発泡体よりなる断熱箱体、２は半透明のプラスチック板よりなるシェード、３は冷凍・冷蔵ショーケースの庫内を照明すると共に、シェード２を通して外部も照明する蛍光灯である。４は庫内に冷気を吐出する冷気吐出口、５は空気を吸い込むための吸い込み口、６は内部に冷却器を具えていて、吸い込み口５から吸い込んだ空気を冷却し、冷気吐出口４に送るための冷気通路である。７は商品陳列棚、８は内部に冷却ユニットや電装品を収納している基台、９は基台８の前部を覆うキックプレート、１０は冷凍・冷蔵ショーケースの前部上端と店舗の天井との間に設けた下がり天である。
【０００３】
このようなショーケースでは、通常、前面上端部に庫内の温度を表示する温度表示器が設けられている。その温度表示器に表示する温度の検出回路や表示制御回路、及び、冷却ユニットの制御回路等を一つのコントロールボックス内に入れて前面上端部に収納したショーケースがある。そのようなショーケースでは、コントロールボックス内に入れた各種回路が故障したときに修理したり、回路の設定を変更したりする際に、コントロールボックスを開ける必要がある。そのため、ショーケースの前面上端部にある天板を取り外し可能にしている。
【０００４】
図７は、従来の冷凍・冷蔵ショーケースの天板の取付説明図である。図７において、符号１〜１０は、図６のものに対応しており、１４は温度表示器を収納する温度表示器ボックス、１５は冷気吐出口４を固定するための吐出口サポート、１６は蛍光灯３の光を反射するためのリフレクタ、１７はリフレクタ１６を固定するためのリフレクタ固定金具である。また、１８は温度の検出回路や表示制御回路、及び、冷却ユニットの制御回路等を収納するコントロールボックス、１９はコントロールボックス底板であり、２０はシェード２を固定するためのシェードステイ、２１は天板、２２は前記リフレクタ固定金具１７及び天板２１を固定するためのステイである。
【０００５】
天板２１は、冷凍・冷蔵ショーケースの前面上端部から上面前端を覆うように設けられる。その固定は、断熱箱体１の上に設けたステイ２２の上にネジ２３でネジ止めすることにより行っている。そして、コントロールボックス１８内の制御回路等に故障が発生したり、設定を変更したりする際には、ネジ２３を緩めて、天板２１を取り外してからコントロールボックス１８を開けて故障の修理や設定変更を行うことになる。
【０００６】
【発明が解決しようとする課題】
しかしながら、上記従来の冷凍・冷蔵ショーケースでは、天板２１をショーケースの上面上側からネジ止めするようにしているため、天板２１の取り付け、取り外し作業を行う際に、脚立等の台が必要になって、作業性が悪いという問題点があった。また、天板２１をショーケースの上面上側からネジ止めするようにしているため、ネジ２３の取り付け、取り外しが行えるように、下がり天１０を後側にずらして設ける必要があって、下がり天１０に広告等の表示を行っても表示が見にくくなると共に、下がり天１０の前に埃がたまりやすくなるという問題点もあった。
【０００７】
本発明は、そのような問題点を解決し、天板の取り付け、取り外しをショーケースの前側から行えるようにして、作業性を向上させると共に、下がり天１０をショーケース前端部に設けることができるようにすることを目的とするものである。
【０００８】
【課題を解決するための手段】
前記課題を解決するため、請求項１に記載の冷凍・冷蔵ショーケースは、前面に商品を出し入れするための開口を有していて内部に商品を陳列可能な断熱箱体と、該断熱箱体の上面前端部に前後方向に設けられたステイと、該ステイの上面に固定され、前端部に下方斜め後方に折り曲げられた折曲片を有する天板後と、ショーケースの前上縁角部を覆うように配置され、後端部に前記天板後の折曲片と平行な折曲片を有する天板前とを具え、前記天板後の折曲片と天板前の折曲片とをネジ止めすることにより前記天板前を固定するようにしたことを特徴とする。このようにすると、天板の取り付け、取り外しがショーケースの前側から行えるようになり、作業性が向上すると共に、下がり天をショーケース前端部に設けることが可能になる。
【０００９】
そして、請求項２に記載の冷凍・冷蔵ショーケースは、前記天板後の折曲片と天板前の折曲片は、折曲げ部が２箇所設けられていることを特徴とする。このようにすると、上下方向に位置合わせが容易になると共に、強度も大きくなる。
【００１０】
【発明の実施の形態】
以下、本発明の実施の形態を図面に基づいて詳細に説明する。
図１は、本発明の一実施形態の要部断面図であり、図３は、冷凍・冷蔵ショーケースの上部斜視図であり、図４は、天板の拡大図であり、図５は、リフレクタ固定金具を示す図である。符号は、図６，図７のものに対応しており、１１は天板前、１２は天板後、１３はステイ、２１は温度表示器、２２は透孔である。
【００１１】
ショーケースの前面上端部に庫内の温度を表示する温度表示器２１が設けられており、その温度表示器２１は、温度表示器ボックス１４の中に収納されて、天板前１１の前面に設けられた透孔２２に嵌め込まれた状態で取り付けられている。リフレクタ１６は、下端縁が吐出口サポート１５の先端部に嵌め込まれ、中間部は、リフレクタ固定金具１７によりステイ１３に固定されている。そして、温度表示器２１に表示する温度の検出回路や表示制御回路、及び、冷却ユニットの制御回路等が収納されているコントロールボックス１８は、コントロールボックス底板１９をリフレクタ１６に取り付けることにより温度表示器ボックス１４の奥に固定している。
【００１２】
また、本発明のショーケースでは、天板を前後で２分割し、天板前１１と天板後１２とに分けて設けるようにしており、天板後１２の前端部には、下方斜め後方に折り曲げられた折曲片１２Ａを設けている。そのような天板後１２を、断熱箱体１の上面前端部に前後方向に設けられたステイ１３の上面に固定している。また、ショーケースの前上縁角部を覆う天板前１１には、その後端部に天板後１２の折曲片１２Ａと平行に対向する折曲片１１Ａを設けており、天板後１２の折曲片１２Ａと天板前１１の折曲片１１Ａとをネジ止めすることにより、天板前１１を固定するようにしている。
【００１３】
天板前１１の取り外しは、図２に示すように、シェード２を外してから、天板前１１の前方下側からドライバを差し込み、天板後１２の折曲片１２Ａと天板前１１の折曲片１１Ａとを貫通して締め付けているネジを緩めて抜き取ることにより行う。そして、コントロールボックス１８中の温度の検出回路や表示制御回路、及び、冷却ユニットの制御回路等を修理するため、コントロールボックス底板１９を止めているネジを緩めて外し、コントロールボックス１８の前側を少し下方に回転させてからコントロールボックス１８を前側に抜き出す。
【００１４】
修理が完了したら、コントロールボックス１８を元の位置に戻して、コントロールボックス底板１９をネジ止めし、天板後１２の折曲片１２Ａに天板前１１の折曲片１１Ａを対向させてネジ止めすることにより、天板前１１を固定する。以上の説明で明らかなように、それらの作業は、すべてショーケースの前側から行うことができる。
【００１５】
【発明の効果】
本発明は、以上説明したように構成されているので、次に記載するような効果を奏する。
すなわち、請求項１に記載の冷凍・冷蔵ショーケースは、断熱箱体の上面前端部に前後方向に設けられたステイの上面に、前端部に下方斜め後方に折り曲げられた折曲片を有する天板後を固定し、ショーケースの前上縁角部を覆う天板前の後端部に前記天板後の折曲片と平行な折曲片を設け、前記天板後の折曲片と天板前の折曲片とをネジ止めすることにより前記天板前を固定するようにした。その結果、天板の取り付け、取り外しがショーケースの前側から行えるようになり、作業性が向上すると共に、下がり天をショーケース前端部に設けることが可能になる。
【００１６】
そして、請求項２に記載の冷凍・冷蔵ショーケースは、前記天板後の折曲片と天板前の折曲片に、折曲げ部を２箇所設けるようにしたので、上下方向に位置合わせが容易になると共に、強度も大きくなる。
【図面の簡単な説明】
【図１】本発明の一実施形態の要部断面図である。
【図２】天板前の取付説明図である。
【図３】冷凍・冷蔵ショーケースの上部斜視図である。
【図４】天板の拡大図である。
【図５】リフレクタ固定金具を示す図である。
【図６】冷凍・冷蔵ショーケースの断面図である。
【図７】従来の冷凍・冷蔵ショーケースの天板の取付説明図である。
【符号の説明】
１…断熱箱体
２…シェード
３…蛍光灯
４…冷気吐出口
１０…下がり天
１１…天板前
１２…天板後
１３…ステイ
１４…温度表示器ボックス
１６…リフレクタ
１８…コントロールボックス
【図１】
0003960734.tif 000002
【図２】
0003960734.tif 000003
【図３】
0003960734.tif 000004
【図４】
0003960734.tif 000005
【図５】
0003960734.tif 000006
【図６】
0003960734.tif 000007
【図７】
0003960734.tif 000008